(57)【特許請求の範囲】
【請求項１】
ボタン電話機と電話回線とに接続され、前記ボタン電話機と前記電話回線との間の発着信時の接続処理を行うボタン電話装置において、あらかじめ定められた一定時間の間、前記ボタン電話機のボタン操作が行われず待機状態が継続していたことが検出されたとき、着呼時の動作モードを通常の動作モードから留守番電話機能が作動する留守番応答モードに移行させ、その後に前記電話回線からの着呼があったとき、前記着呼を知らせるリングトーン信号の鳴音の周期があらかじめ指定された周期に等しくないときには、この着呼に対して着信接続を行なわず、前記着呼を知らせるリングトーン信号の鳴音の周期があらかじめ指定された周期に等しいときには、この着呼に対して着信接続を行い、留守番電話機能が作動することを特徴とするボタン電話装置。
【請求項２】
請求項１記載のボタン電話装置において、前記留守番応答モードに移行した後に、前記ボタン操作が行われたことが検出されたとき、前記動作モードを前記留守番応答モードから前記通常モードに移行させることを特徴とするボタン電話装置。
【請求項３】
複数のボタン電話機と電話回線とに接続され、（Ａ）前記複数のボタン電話機のそれぞれからの出力信号をディジタル的に多重化して第１の多重化信号として出力し、また、第２の多重化信号を入力して前記複数のボタン電話機のそれぞれへの入力信号に分離する電話機入出力信号多重・分離部、（Ｂ）電話回線との間の発着信接続制御を行う発着信接続制御部、（Ｃ）前記電話回線からの着呼時に行われる留守番応答のための音声案内となる音声メッセージの録音、前記電話回線からの着呼時における前記音声メッセージの再生、及び発信者からの音声メッセージの録音・再生を行う音声録音・再生部、（Ｄ）前記電話機入出力信号多重・分離部、前記発着信接続制御部及び前記音声録音・再生部の各部の間の音声信号の伝送路の接続処理を行う時分割スイッチ、を備えたボタン電話装置において、（Ｅ）あらかじめ定められた一定時間の間、前記複数のボタン電話機でボタン操作が行われず待機状態が継続していた状態か否かを監視し、前記複数のボタン電話機でボタン操作が行われず待機状態が継続していた状態を検出する電話機状態検出部、（Ｆ）前記複数のボタン電話機のそれぞれの動作モードの設定を行う動作モード設定テーブルを内蔵し、ボタン操作が行われず待機状態が継続していた状態のボタン電話機が前記複数のボタン電話機の中に前記電話機状態検出部により検出されたとき、前記動作モード設定テーブル上でそのボタン電話機の着呼時の動作モードを通常の動作モードから、留守番電話機能が作動する留守番応答モードに移行させ、その後に前記電話回線からの着呼があったときにはその都度留守番電話機能が作動するように前記発着信接続制御部、前記音声録音・再生部及び前記時分割スイッチを制御するシステム制御部、を備え、前記発着信接続制御部は、前記着呼を知らせる信号が、あらかじめ指定された情報である、リングトーン信号の鳴音の周期の情報を有するか否かを判別し、前記着呼を知らせるリングトーン信号の鳴音の周期があらかじめ指定された周期に等しいときに、前記システム制御部にこのことを通知し、前記システム制御部はこの着呼に対して着信接続を行うように前記発着信接続制御部に対して指示を行い、前記発着信接続制御部が着信接続を行い、前記留守番電話機能を作動させることを特徴とするボタン電話装置。
【請求項４】
請求項３記載のボタン電話装置において、あらかじめ定められた前記一定時間の長さを設定変更する手段を備えことを特徴とするボタン電話装置。
【請求項５】
請求項３記載のボタン電話装置において、前記留守番応答モードに移行した後に、前記ボタン操作が行われたことが検出されたとき、前記システム制御部は前記動作モードを前記留守番応答モードから前記通常モードに移行させることを特徴とするボタン電話装置。
【発明の詳細な説明】
【０００１】
【発明の属する技術分野】
本発明はボタン電話装置に関し、特に、接続されたボタン電話機の中にボタン操作が行われず一定時間以上待機状態が経過したボタン電話機があったときに、そのボタン電話機に対して着信時の応答を自動応答で行う留守番応答モードを自動的に設定するボタン電話装置に関する。
【０００２】
【従来の技術】
従来のボタン電話装置では、外出などで不在になるときボタン電話機で留守番応答モードを設定しておくと、その後は留守番応答モードが設定されたボタン電話機に着呼があると留守番応答機能が作動して、そのボタン電話機への着呼に対して着信接続が行われ、音声案内として留守番応答メッセージを自動的に送出し、また発信者からの音声メッセージが自動的に録音される。この留守番応答モードの設定については、留守番応答モードの設定の時間帯をあらかじめ設定しておき、この時間帯になると留守番応答モードが自動的に設定されるようにすることも行われている。例えば、夜間に無人となるようなオフィス内のボタン電話装置の場合には、上記のように夜間の時間帯を設け、自動的に留守番応答モードが設定されるようにしておけば、夜間オフィス内のボタン電話機にかかってきた着呼には、留守番応答モードで対応させることができる。
【０００３】
【発明が解決しようとする課題】
上述した従来のボタン電話装置では、ボタン電話機が留守番応答モードになる時間帯をあらかじめ設定し、その時間帯になったとき留守番応答モードが自動的に設定されるようにすることができるが、例えば、オフィス内でボタン電話機を使用している人間が昼間に長時間の外出をするときに留守番応答モードの設定をするのを忘れて外出してしまったり、あるいは、昼間に短時間のつもりで留守番応答モードの設定をせずに外出をしたものの都合により外出が長時間になってしまったような場合には、かかってきた重要な電話かも知れない電話の受け損ねを回避できなくなるという欠点を有している。
【０００４】
本発明の目的は、ボタン電話機の状態が待機状態のままあらかじめ定められた一定時間を経過した場合には自動的に留守番応答モードを設定するボタン電話装置を提供することにある。
【０００５】
【課題を解決するための手段】
第１の発明のボタン電話装置は、ボタン電話機と電話回線とに接続され、前記ボタン電話機と前記電話回線との間の発着信時の接続処理を行うボタン電話装置において、あらかじめ定められた一定時間の間、前記ボタン電話機のボタン操作が行われず待機状態が継続していたことが検出されたとき、着呼時の動作モードを通常の動作モードから留守番電話機能が作動する留守番応答モードに移行させ、その後に前記電話回線からの着呼があったとき、前記着呼を知らせるリングトーン信号の鳴音の周期があらかじめ指定された周期に等しくないときには、この着呼に対して着信接続を行なわず、前記着呼を知らせるリングトーン信号の鳴音の周期があらかじめ指定された周期に等しいときには、この着呼に対して着信接続を行い、留守番電話機能が作動することを特徴として構成される。
【０００６】
また、第２の発明のボタン電話装置は、第１の発明のボタン電話装置において、前記留守番応答モードに移行した後に、前記ボタン操作が行われたことが検出されたとき、前記動作モードを前記留守番応答モードから前記通常モードに移行させることを特徴として構成される。
【０００７】
また、第３の発明のボタン電話装置は、複数のボタン電話機と電話回線とに接続され、（Ａ）前記複数のボタン電話機のそれぞれからの出力信号をディジタル的に多重化して第１の多重化信号として出力し、また、第２の多重化信号を入力して前記複数のボタン電話機のそれぞれへの入力信号に分離する電話機入出力信号多重・分離部、（Ｂ）電話回線との間の発着信接続制御を行う発着信接続制御部、（Ｃ）前記電話回線からの着呼時に行われる留守番応答のための音声案内となる音声メッセージの録音、前記電話回線からの着呼時における前記音声メッセージの再生、及び発信者からの音声メッセージの録音・再生を行う音声録音・再生部、（Ｄ）前記電話機入出力信号多重・分離部、前記発着信接続制御部及び前記音声録音・再生部の各部の間の音声信号の伝送路の接続処理を行う時分割スイッチ、を備えたボタン電話装置において、（Ｅ）あらかじめ定められた一定時間の間、前記複数のボタン電話機でボタン操作が行われず待機状態が継続していた状態か否かを監視し、前記複数のボタン電話機でボタン操作が行われず待機状態が継続していた状態を検出する電話機状態検出部、（Ｆ）前記複数のボタン電話機のそれぞれの動作モードの設定を行う動作モード設定テーブルを内蔵し、ボタン操作が行われず待機状態が継続していた状態のボタン電話機が前記複数のボタン電話機の中に前記電話機状態検出部により検出されたとき、前記動作モード設定テーブル上でそのボタン電話機の着呼時の動作モードを通常の動作モードから、留守番電話機能が作動する留守番応答モードに移行させ、その後に前記電話回線からの着呼があったときにはその都度留守番電話機能が作動するように前記発着信接続制御部、前記音声録音・再生部及び前記時分割スイッチを制御するシステム制御部、を備え、前記発着信接続制御部は、前記着呼を知らせる信号が、あらかじめ指定された情報である、リングトーン信号の鳴音の周期の情報を有するか否かを判別し、前記着呼を知らせるリングトーン信号の鳴音の周期があらかじめ指定された周期に等しいときに、前記システム制御部にこのことを通知し、前記システム制御部はこの着呼に対して着信接続を行うように前記発着信接続制御部に対して指示を行い、前記発着信接続制御部が着信接続を行い、前記留守番電話機能を作動させることを特徴として構成される。
【０００８】
また、第４の発明のボタン電話装置は、第３の発明のボタン電話装置において、あらかじめ定められた前記一定時間の長さを設定変更する手段を備えことを特徴として構成される。
【０００９】
また、第５の発明のボタン電話装置は、第３の発明のボタン電話装置において、前記留守番応答モードに移行した後に、前記ボタン操作が行われたことが検出されたとき、前記システム制御部は前記動作モードを前記留守番応答モードから前記通常モードに移行させることを特徴として構成される。
【００１０】
また、第６の発明のボタン電話装置は、第５の発明のボタン電話装置において、前記あらかじめ指定された情報が前記着呼のリングトーン信号の鳴音の周期であることを特徴として構成される。
【００１１】
また、第７の発明のボタン電話装置は、前記あらかじめ指定された情報が前記着呼の発信元の電話番号であることを特徴として構成される。
【００１２】
【発明の実施の形態】
次に、本発明の実施の形態について図面を参照して説明する。
【００１３】
図１は、本発明のボタン電話装置の第１の実施の一形態を示すブロック図である。
【００１４】
図１に示す本発明のボタン電話装置１０ａは、接続された複数のボタン電話機７ａ〜７ｃのそれぞれからの出力信号１１ａ〜１１ｃをディジタル的に多重化して多重化信号１２として出力し、また、多重化信号１３を入力してボタン電話機７ａ〜７ｃのそれぞれへの入力信号１４ａ〜１４ｃに分離する電話機入出力信号多重・分離部３と、外線（電話回線）８ａ〜８ｃとの間の発信接続制御及び着信接続制御を行う発着信接続制御部４ａと、外線８ａ〜８ｃからの着呼時に行われる留守番応答のための音声案内となる音声メッセージの録音、外線８ａ〜８ｃからの着呼時における前記音声メッセージの再生、及び発信者からの音声メッセージの録音・再生を行う音声録音・再生部５と、上記電話機入出力信号多重・分離部３から出力される多重化信号１２の中の、ボタン電話機７ａ〜７ｃそれぞれの出力信号用タイムスロットを、発着信接続制御部４ａへの入力信号用タイムスロットに接続する接続処理、及び発着信接続制御部４ａからの出力信号用タイムスロットを、電話機入出力信号多重・分離部３に入力される多重化信号１３の、ボタン電話機７ａ〜７ｃそれぞれへの入力信号用タイムスロットに接続する接続処理、同様に、電話機入出力信号多重・分離部３から出力される多重化信号１２の中の、ボタン電話機７ａ〜７ｃそれぞれの出力信号用タイムスロットを、音声録音・再生部５への入力信号用タイムスロットに接続する接続処理、及び音声録音・再生部５からの出力信号用タイムスロットを、電話機入出力信号多重・分離部３に入力される多重化信号１３の、ボタン電話機７ａ〜７ｃそれぞれの入力信号用タイムスロットに接続する接続処理、さらに、発着信接続制御部４ａと音声録音・再生部５との間で留守番応答モード時に留守番応答のため送受信されるディジタル化され多重化された音声信号を伝送するための入出力信号用タイムスロットの相互の接続処理を行う時分割スイッチ２と、あらかじめ定められた一定時間の間、ボタン電話機７ａ〜７ｃにおいてボタン操作が行われず待機状態が継続していた状態か否かを、ボタン電話機７ａ〜７ｃからボタン操作時に出力される出力信号を検出する電話機状態検出部６と、ボタン電話機７ａ〜７ｃのそれぞれの動作モードの設定を行う動作モード設定テーブルを内蔵し、動作モード設定テーブルに設定された動作モードに対応して上記電話機入出力信号多重・分離部３、発着信接続制御部４ａ、音声録音・再生部５、電話機状態検出部６及び時分割スイッチ２を制御するシステム制御部１ａとから構成される。
【００１５】
なお、上記外線８ａ〜８ｃはボタン電話機７ａ〜７ｃとそれぞれ１対１に対応しており、１つの外線に着信があった場合、その外線に対応するボタン電話機においてのみ着呼を知らせる鳴動が行われるものとする。
【００１６】
次に動作を説明する。
【００１７】
図１において、ボタン電話機７ａ〜７ｃに対して発着信操作などのためのボタン操作が行われると、それぞれのボタン電話機７ａ〜７ｃに対して行われるボタン操作によって、それぞれのボタン電話機７ａ〜７ｃから電話機入出力信号多重・分離部３を介してシステム制御部１ａに上記発着信操作などのためのボタン操作に対応する出力信号が送出されるが、このとき上記出力信号は電話機入出力信号多重・分離部３を介してシステム制御部１ａに入力され、これを受けてシステム制御部１ａは上記出力信号を入力したことを電話機状態検出部６に通知する。
【００１８】
電話機状態検出部６は上記ボタン電話機から出力された上記出力信号の有無を常時監視し、あらかじめ定められた一定時間の間それぞれのボタン電話機７ａ〜７ｃにおいて発着信操作などのためのボタン操作が行われずボタン電話機７ａ〜７ｃから上記出力信号が出力されないとき、上記の出力信号が出力されなかったボタン電話機を、一定時間の間待機状態が継続していた状態であったボタン電話機としてシステム制御部１ａに通知する。
【００１９】
例えば、ボタン電話機７ａにおいて、あらかじめ定められた一定時間の間、発着信操作などのためのボタン操作が行われずボタン電話機７ａから上記出力信号が出力されないとき、上記の出力信号が出力されなかったボタン電話機７ａを、一定時間の間待機状態が継続していた状態であったボタン電話機としてシステム制御部１ａに通知する。以下、上記のボタン電話機７ａの場合を一例として動作説明を続ける。
【００２０】
システム制御部１ａは、電話機状態検出部６から通知のあった、発着信操作などのためのボタン操作が一定時間の間行われず待機状態であったボタン電話機７ａの動作モードの設定を通常モードから、着呼のときに留守番電話機能が作動する留守番応答モードに、内蔵する動作モード設定テーブル上において設定変更する。
【００２１】
以後、システム制御部１ａは、上記動作モード設定テーブルにおいて留守番応答モードに設定変更した上記ボタン電話機７ａに、対応する外線８ａから着呼があったことを発着信接続制御部４ａから通知されると、発着信接続制御部４ａに対し外線８ａからの着呼に対して着信接続制御を行うように指示するとともに、時分割スイッチ２に対して発着信接続制御部４ａと音声録音・再生部５との間の音声信号の伝送路を接続するように指示する。次に、システム制御部１ａは、音声録音・再生部５に対して、上記ボタン電話機への着呼に対し留守番電話機能を作動するように指示する。
【００２２】
システム制御部１ａによる上記制御により、音声録音・再生部５は、外線８ａからの着呼に対して自動応答動作を行うために必要な、あらかじめ録音された音声メッセージを再生する動作に入って前記音声メッセージを自動的に再生し、発着信接続制御部４ａを介して外線８ａに送出し、また外線８ａからの着呼に対して自動応答を行う。
【００２３】
また、音声録音・再生部５は、前記音声メッセージを自動的に再生し外線８ａに送出した後、あらかじめ定められた一定の時間後には録音動作に入り、外線８ａに送出された上記音声メッセージを聞いた発呼者がこの音声メッセージの内容に応じて発呼者の音声メッセージを送ってきたときは、その音声メッセージを発着信接続制御部４ａを介して外線８ａから受信し録音する。
【００２４】
上記で、図１に示すボタン電話装置における動作の概要説明を終える。
【００２５】
図２は、図１に示すボタン電話装置における詳細動作の一例を示すフローチャートである。
【００２６】
次に、留守番応答モードが自動的に設定される場合の動作、及び留守番応答モードが設定されたときのボタン電話装置の動作の詳細説明を図１及び図２を参照して行う。
【００２７】
図１に示すボタン電話装置１０ａの電話機状態検出部６は、ボタン電話機７ａ〜７ｃに対応する複数のタイマを内蔵している。電話機状態検出部６は、この複数のタイマを用いてボタン電話機７ａ〜７ｃのそれぞれにおいてボタン操作の行われない時間が、あらかじめ定められた時間継続するか否かを検出するが、以下、図２に示すボタン電話装置１０ａにおける各ステップの動作は、上述したボタン電話機７ａ及びボタン電話機７ａに対応するタイマについての動作を示す。
【００２８】
電話機状態検出部６は、ボタン電話装置１０ａの動作開始時にシステム制御部１ａからの指示により上記タイマをスタートさせる（図２のステップ１）。また、電話機状態検出部６は、ボタン電話機７ａから電話機入出力信号多重・分離部３を介してボタン電話機７ａのボタン操作のある毎に出力される出力信号が検出されるか否かを、すなわち、ボタン電話機７ａのボタン操作があったか否かを、あらかじめ定められた間隔で定期的にチェックし（ステップ２）、上記出力信号が検出されると、電話機状態検出部６はボタン電話機７ａでボタン操作が行われたことを認識して対応するタイマをリセットし（ステップ３）、上記ステップ１に戻りタイマを再スタートさせる。
【００２９】
電話機状態検出部６は、上記タイマに設定された、あらかじめ定められた一定時間の間ボタン電話機７ａのボタン操作がないままタイムアップ時間に達したか否かをチェックし（ステップ４）、タイマがタイムアップ時間に達したことが電話機状態検出部６によって検出されたとき、このことを電話機状態検出部６はシステム制御部１ａに通知する。この通知を受けたシステム制御部１ａは、上記のあらかじめ定められた一定時間の間ボタン操作がなかったボタン電話機７ａの動作モードを動作モード設定テーブルにおいて設定変更して通常モードから留守番応答モードに設定する（ステップ５）。
【００３０】
ステップ４でボタン電話機７ａに対して作動しているタイマがタイムアップ時間に達していない状態であることが電話機状態検出部６によって検出されたときは、動作はステップ２に戻りあらかじめ定められた間隔で定期的にボタン電話機７ａから出力される出力信号が検出されるか否かの検出を電話機状態検出部６は続行する。
【００３１】
システム制御部１ａによって通常モードから留守番応答モードに設定変更された後、ボタン操作が行われボタン電話機７ａから出力された出力信号が電話機状態検出部６によって検出されることで、ボタン電話機７ａのボタン操作があったことがチェックされると（ステップ６）、このことを電話機状態検出部６から通知されたシステム制御部１ａは、ボタン電話機７ａの動作モードを、動作モード設定テーブルにおいて留守番応答モードから通常モードに設定変更する。すなわち、システム制御部１ａは、ボタン電話機７ａの動作モードである留守番応答モードを解除し（ステップ７）、留守番応答モードが解除されたことを電話機状態検出部６に通知すると、動作はステップ３に戻って電話機状態検出部６はタイマをリセットする。
【００３２】
一方、発着信接続制御部４ａは、外線８ａに着呼があるか否かをチェックし、ステップ６でボタン電話機７ａに対してボタン操作が行われずボタン電話機７ａから出力される出力信号が検出されない状態で、外線８ａからの着呼が発着信接続制御部４ａにより検出されたとき（ステップ８）、発着信接続制御部４ａは外線８ａからの着呼が検出されたことをシステム制御部１ａに通知するので、この通知を受けたシステム制御部１ａは、留守番応答モードに設定されていることを動作モード設定テーブルにより確認した後、外線８ａからの着呼に対して着信接続を行うとともに発着信接続制御部４ａと音声録音・再生部５とを時分割スイッチ２を介して接続する（ステップ９）。また、あらかじめ録音されている、自動応答のための音声メッセージを発呼者に送信するように音声録音・再生部５に対して指示し、音声録音・再生部５からは発呼者宛の音声メッセージが伝言メッセージとして時分割スイッチ２を介して送信される（ステップ１０）。
【００３３】
なお、ステップ８で留守番応答モードが設定された状態で外線８ａからの着呼が発着信接続制御部４ａにより検出されなかったときは、発着信接続制御部４ａはこのことをシステム制御部１ａに通知し、ボタン電話装置の動作はステップ６に戻り、ボタン電話機７ａから出力される出力信号が検出されるか否かの検出、すなわち、ボタン電話機７ａのボタン操作があったか否かがあらかじめ定められた間隔で定期的に電話機状態検出部６によって行われ、ボタン電話機７ａのボタン操作の検出待ちの状態となる。
【００３４】
また、ステップ１０における上記の伝言メッセージの送信の終了後に、システム制御部１ａは、外線８ａに送出された上記伝言メッセージを聞いた発呼者がこの伝言メッセージに応じて送ってくる発呼者からのメッセージを録音するためのメッセージ録音動作状態に入るように音声録音・再生部５に対して指示し、システム制御部１ａからの指示で音声録音・再生部５は上記メッセージ録音動作状態に入る（ステップ１１）。
【００３５】
発呼者が終話してフック・オンが行なわれ外線８ａから発呼者終話を示すビジートーンが流れてくるか否かを発着信接続制御部４ａがチェックし（ステップ１２）、ビジートーンの検出により発呼者終話が検出されると、発着信接続制御部４ａはシステム制御部１ａにビジートーンが検出されたことを通知するとともに、外線８ａとの接続を解除して外線８ａを開放する（ステップ１３）。ボタン電話装置の動作はステップ６に戻り、ボタン電話機７ａに対するボタン操作の検出待ちの状態となる。
【００３６】
上記のように、例えばボタン電話機７ａのボタン操作があらかじめ定められた時間行われなかった場合に、ボタン電話機７ａに対して留守番応答モードが設定され、ボタン電話機７ａに対応する外線８ａからの着呼に対してのみ留守番応答が行われる。
【００３７】
次に、本発明のボタン電話装置の第２の実施の一形態について説明する。
【００３８】
図３は、本発明のボタン電話装置の第２の実施の一形態を示すブロック図である。
【００３９】
図３に示す本発明のボタン電話装置１０ｂは、図１に示す本発明のボタン電話装置１０ａの構成と類似しており、図１に示す本発明のボタン電話装置１０ａの発着信接続制御部４ａの代りに、外線８ａ〜８ｃとの間の発着信制御を行う発着信接続制御部４ｂを、またシステム制御部１ａの代りにシステム制御部１ｂを備えて構成される。
【００４０】
なお、図３において、ボタン電話機７ａ〜７ｃ、電話機入出力信号多重・分離部３、音声録音・再生部５、時分割スイッチ２及び電話機状態検出部６の各部の動作は、図１に示される、ボタン電話機７ａ〜７ｃ、電話機入出力信号多重・分離部３、音声録音・再生部５、時分割スイッチ２及び電話機状態検出部６の各部の動作と同じである。図３の発着信接続制御部４ｂは、図１の発着信接続制御部４ａと同様に外線８ａ〜８ｃとの間の発着信制御を行う機能を有する他に、後述するように外線８ａ〜８ｃから着呼があったときにその着呼のリングトーン信号の鳴音の周期があらかじめ定められた周期に等しい周期である否かを判別する機能を有する。
【００４１】
また、図３のシステム制御部１ｂは図１のシステム制御部１ａと同様に、ボタン電話機７ａ〜７ｃ、電話機入出力信号多重・分離部３、音声録音・再生部５、時分割スイッチ２及び電話機状態検出部６の各部を制御する機能を有するとともに、発着信接続制御部４ｂが外線８ａ〜８ｃからの着呼のリングトーン信号の鳴音の周期があらかじめ定められた周期に等しい周期である否かを判別する場合、その判別結果に基づいて発着信接続制御部４ｂを制御する機能を有している。
【００４２】
図４は図３に示すボタン電話装置１０ｂにおける詳細動作の一例を示すフローチャートである。
【００４３】
図４に示すボタン電話装置１０ｂのフローチャートは、図２に示す図１のボタン電話装置１０ａにおける動作の一例を示すフローチャートに、ステップ１０８Ａが付け加えられたことを除き他は図２と同じである。すなわち、図４のステップＳ１０１〜Ｓ１０８は図２のステップＳ１〜Ｓ８と対応していて各ステップの動作は同じであり、また、図４のステップＳ１０９〜Ｓ１１３も図２のステップＳ９〜Ｓ１３と対応していて各ステップの動作は同じである。
【００４４】
図４においては、ステップ１０８で、外線８ａ〜８ｃから着呼があったとき、発着信接続制御部４ｂはその着呼のリングトーン信号の鳴音の周期があらかじめ指定された周期に等しい周期である否かを判別するステップ１０８Ａが追加されている。
【００４５】
なお、図４においても、図３のボタン電話装置１０ｂの各ステップの動作は、図２に示すボタン電話装置１０ａにおける各ステップの動作の場合と同様に、上述したボタン電話機７ａ及びボタン電話機７ａに対応するタイマについての動作を示すものとする。
【００４６】
ステップ１０８Ａにおいて、ステップ１０８で検出された外線８ａからの着呼のリングトーン信号の鳴音の周期があらかじめ指定された周期に等しいときに、発着信接続制御部４ｂはシステム制御部１ｂにこのことを通知し、システム制御部１ｂはこの着呼に対して着信接続を行うように発着信接続制御部４ｂに対して指示を行う。発着信接続制御部４ｂはシステム制御部１ｂの指示に基づき、外線８ａからの着呼に対して着信接続を行う（ステップ１０９）。
【００４７】
ステップ１０８Ａにおいて、外線８ａからの着呼のリングトーン信号の鳴音の周期があらかじめ指定された周期に等しい周期でなかったときは、ステップ１０６に戻ってボタン操作によるボタン電話機７ａからの出力される出力信号の検出待ちの状態になる。
【００４８】
上記のように、図３に示す本発明のボタン電話装置１０ｂの場合は、図１に示す本発明のボタン電話装置１０ａと同様の機能を有するが、外線８ａ〜８ｃからの着呼の際にリングトーン信号の鳴音の周期があらかじめ指定された周期に等しい周期のときにのみ自動応答する点が図１に示す本発明のボタン電話装置１０ａと相違している。
【００４９】
すなわち、図３に示す本発明のボタン電話装置１０ｂは、上記のように構成することにより、例えば、構内電話からの着呼のリングトーン信号の鳴音の周期を公衆電話からの着呼のリングトーン信号の鳴音の周期と異る周期に設定し、上記のあらかじめ指定された周期として公衆電話からの着呼時のリングトーン信号の鳴音周期を設定しておけば、公衆電話からの着呼のときだけ、自動応答機能が作動してその着呼に対して着信接続を行わせることができ、顧客からの電話等、業務上重要な電話であるかも知れない公衆電話からの電話の受け損ねを回避することができる。
【００５０】
なお、図３に示すボタン電話装置１０ｂの本構成において、図４のステップ１０８で外線８ａから着呼があったとき、その着呼のリングトーン信号の鳴音の周期があらかじめ指定された周期に等しい周期である否かを判別し（ステップ１０８Ａ）、等しい周期であるときに、その着呼に対して着信接続を行うように構成されることで説明したが、上記のような動作の代りに、着呼があったとき自動応答する発信元の電話番号をシステム制御部１ｂにあらかじめ指定しておき、発着信接続制御部４ｂが外線８ａ〜８ｃからの着呼を検出した際に、システム制御部１ｂは外線８ａ〜８ｃからの着呼があらかじめ指定された電話番号を有する発信者からの着呼であるか否かを判別し、上記指定された電話番号の発信元からの着呼があったときに、システム制御部１ｂはその着呼に対して着信接続を行うように発着信接続制御部４ｂに指示するように構成してもよい。
【００５１】
すなわち、発着信接続制御部４ｂは、着呼を知らせる信号が、あらかじめ指定された情報に等しい情報を有するか否かを判別し、着呼を知らせる信号があらかじめ指定された情報に等しい情報を有するときに、システム制御部１ｂにこのことを通知し、システム制御部１ｂはこの着呼に対して着信接続を行うように発着信接続制御部４ｂに対して指示を行って発着信接続制御部４ｂが着信接続を行う。従って、上記のあらかじめ指定された情報は、リングトーン信号の鳴音の周期、発信元の電話番号以外の情報であってもよい。
【００５２】
また、上記の説明では、電話機状態検出部６は、ボタン電話機からボタン操作時に出力される出力信号を検出することでボタン操作が行われたか否かを検出するように説明したが、上記ボタン操作が特定のボタン操作、例えば発着信のためのボタン操作のみに限定すれば、通常そのボタン電話機を使用する人以外の人間がたまたま誤ってボタン電話機のボタンに触れ、発着信のためのボタン操作以外のボタン操作をしてしまった場合については、ボタン操作が行われたものとして検出されないで済むようにできる。
【００５３】
また、図１及び図３に示す電話機状態検出部６に、あらかじめ定められた上記一定時間の長さを必要に応じて設定変更するための手段を備えて構成してもよい。
【００５４】
なお、上記の説明では、外線８ａ〜８ｃはボタン電話機７ａ〜７ｃと１対１に対応しており、１つの外線に着呼があったとき、対応するボタン電話機においてのみ着呼を知らせる鳴動が行われるようにボタン電話装置が構成された場合について説明したが、外線８ａ〜８ｃのうちのどの外線に着呼があっても、ボタン電話機７ａ〜７ｃの全てのボタン電話機において着呼を知らせる鳴動が行われるように構成されたボタン電話装置の場合であっても、図１及び図３に示すボタン電話装置と同様に本発明を適用することができる。しかし、この場合は、ボタン電話機７ａ〜７ｃの全てのボタン電話機においてボタン操作があらかじめ定められた時間行われなかった場合に、ボタン電話機７ａ〜７ｃの全てのボタン電話機に対して留守番応答モードが設定され、外線８ａ〜８ｃのどの外線からの着呼に対しても留守番応答が行われることになる。
【００５５】
【発明の効果】
以上説明したように、あらかじめ定められた一定時間の間、ボタン操作が行われず待機状態が継続していたボタン電話機があることが検出されたとき、そのボタン電話機の着呼時の動作モードを通常の動作モードから留守番電話機能が作動する留守番応答モードに移行させ、その後に電話回線からの着呼があったときにはその都度留守番電話機能が作動するように構成することにより、オフィス内でボタン電話機を使用している人間が昼間に長時間の外出をするときに留守番応答モードの設定をするのを忘れて外出してしまったり、あるいは、昼間に短時間のつもりで留守番応答モードの設定をせずに外出をしたものの都合により外出が長時間になってしまったような場合でも、ボタン電話機の状態が待機状態のままあらかじめ定められた一定時間を経過したときには自動的に留守番応答モードが設定されるので、一定時間の待機状態が経過して自動的に留守番応答モードが設定された後は、相手の電話の用件を録音することができ電話の受け損ねを回避できるという効果を有している。
【００５６】
また、着呼を知らせる信号が有する情報があらかじめ指定された情報に等しい情報であるか否かを判別し、着呼を知らせる信号が有する情報があらかじめ指定された情報に等しいときに着呼に対して着信接続を行うようにすることにより、あらかじめ定められた特定の着呼のときだけ、着信接続を行わせることができ、顧客からの電話等、業務上重要な電話であるかも知れない電話の受け損ねを回避することができるという効果を有している。
【図面の簡単な説明】
【図１】本発明のボタン電話装置の第１の実施の一形態を示すブロック図である。
【図２】図１に示すボタン電話装置における詳細動作の一例を示すフローチャートである。
【図３】本発明のボタン電話装置の第２の実施の一形態を示すブロック図である。
【図４】図３に示すボタン電話装置における詳細動作の一例を示すフローチャートである。
【符号の説明】
１ａ，１ｂ    システム制御部
２    時分割スイッチ
３    電話機入出力信号多重・分離部
４ａ，４ｂ    発着信接続制御部
５    音声録音・再生部
６    電話機状態検出部
７ａ〜７ｃ    ボタン電話機
８ａ〜８ｃ    外線
１０ａ，１０ｂ    ボタン電話装置
１１ａ〜１１ｃ    出力信号
１２    多重化信号
１３    多重化信号
１４ａ〜１４ｃ    入力信号
【図１】
0003597126.tif 000002
【図２】
0003597126.tif 000003
【図３】
0003597126.tif 000004
【図４】
0003597126.tif 000005